(57)【要約】【課題】    ＴＶ放送の受信感度を表示すると共に、省電力設計の電子機器を実現すること。【解決手段】  ＣＰＵ１０は、ユーザにより設定されたＴＶ放送スキャンインタラプト間隔９３の時間おきに、第１ＴＶ放送スキャンインタラプト処理を実行する。ＣＰＵ１０は、検出した現在時刻が夜間時間帯の時刻ではないと判別すると、ＴＶチューナ部７１の電源をオンにし、ＴＶ用アンテナ７９において受信されるＴＶ信号の受信感度レベル９５を検出する。そして、検出した受信感度レベル９５を表す受信感度マークを表示部２０に表示させた後、ＴＶチューナ部７１の電源をオフにする。また、現在時刻が夜間時間帯の時刻であると判別した場合は、受信感度レベル９５の検出及び表示は行わない。【選択図】  図２
2005184614.tif 000002
【特許請求の範囲】
【請求項１】
テレビ放送受信部で受信したテレビ放送を表示する制御を行う電子機器において、
前記テレビ放送受信部が非駆動状態の際、間欠的に前記テレビ放送受信部を駆動させてテレビ放送の受信感度を判定する制御を行う感度判定制御手段と、
この感度判定制御手段による判定結果を表示する制御を行う判定結果表示制御手段と、
を備えることを特徴とする電子機器。
【請求項２】
前記感度判定制御手段は、予め設定された判定時間間隔で前記テレビ放送受信部を駆動させて前記受信感度の判定を行う制御をする時間間隔判定制御手段を有する、
ことを特徴とする請求項１に記載の電子機器。
【請求項３】
所定の測位法により現在位置を測位する測位手段を更に備え、
前記感度判定制御手段は、前記測位された現在位置が予め設定された判定距離変位する毎に前記テレビ放送受信部を駆動させて前記受信感度の判定を行う制御をする距離変位毎判定制御手段を有する、
ことを特徴とする請求項１に記載の電子機器。
【請求項４】
所定の無線通信網に接続して無線通話を実行する無線通話手段と、
この無線通話手段による前記無線通信網との間の通信感度を判定する制御を行う通信感度判定手段と、
を更に備え、
前記判定結果表示制御手段は、前記通信感度判定手段による判定結果を表す通信感度表示体と、前記感度判定制御手段による判定結果を表す放送感度表示体とを、識別可能に重畳させて表示する制御を行う表示体重畳表示制御手段を有する、
ことを特徴とする請求項１〜３の何れか一項に記載の電子機器。
【請求項５】
テレビ放送受信部で受信したテレビ放送を表示する制御を行うコンピュータに、
前記テレビ放送受信部が非駆動状態の際、間欠的に前記テレビ放送受信部を駆動させてテレビ放送の受信感度を判定する制御を行う感度判定制御機能と、
この感度判定制御機能による判定結果を表示する制御を行う判定結果表示制御機能と、
を実現させるためのプログラム。
【発明の詳細な説明】
【技術分野】
【０００１】
本発明は、テレビ放送受信部で受信したテレビ放送を表示する制御を行う電子機器等に関する。
【背景技術】
【０００２】
従来から、テレビ放送を受信するための受信装置を備えた携帯用テレビ（以下、テレビのことを「ＴＶ」という。）等の電子機器が知られている。携帯用ＴＶは、家庭等で利用される据え置き型ＴＶとは異なり外出先等でＴＶを視聴することができる。
【０００３】
据え置き型ＴＶは、電波受信に好条件な環境に設置されたアンテナにより、安定した品質でテレビ放送を受信することができる。しかし、携帯用ＴＶは、ユーザに持ち運ばれるため、受信状態が変化し、受信感度が悪くなる場合があった。
【０００４】
このようなユーザの移動による受信感度の変化への対策として、次のような技術が知られている。
（１）自動車に設置された移動体テレビ受信装置において、同じく自動車に設置されたＧＰＳ装置によって測位された位置情報から、現在所属している放送局エリアと近隣の放送局エリアとを判断し、判断した各放送局エリアそれぞれに対応するチャンネルの放送を受信することで、近隣の放送局エリアを含めた各チャンネルの実際の受信感度を検出して表示する移動体テレビ受信装置が知られている（特許文献１参照）。
【特許文献１】特開平５−８３６４８号公報
【０００５】
（２）電波の受信感度や受信の可否といった受信状態を検出し、検出した時点においてＧＰＳ装置によって測位された位置情報に当該受信状態を対応付けて表示することで、ユーザが移動してきた地点や地域での受信感度を表示する受信装置が知られている（特許文献２参照）。
【特許文献２】特開平１０−１８５５９８号公報
【０００６】
（３）現在の受信感度と直前の受信感度とにより、複数の放送局から発せられる電波の受信感度の変化を表示することで、ユーザに放送局を選局するための情報を提供する移動体用放送受信感度モニタが知られている（特許文献３参照）。
【特許文献３】特開平１１−２８４５３１号公報
【０００７】
また、受信環境による受信感度の違いに対する対策として、
（４）相互にデータ通信が可能に接続された複数のリモコン装置（例えば４台）のうち少なくとも一台（例えば２台）に、ＦＭ文字多重放送等の受信が可能な無線受信部を設け、当該無線受信部で受信された文字情報を、無線受信部を持たない他のリモコン装置に供給し、他のリモコン装置の表示部にも文字情報を表示させるシステムが知られている。この際、他のリモコン装置へ文字情報を供給するリモコン装置は、無線受信部を有するリモコン装置のうち受信感度のよいリモコン装置が用いられる（特許文献４参照）。
【特許文献４】特開２００１−１５７２７４号公報
【０００８】
一方、近年、地上波アナログ放送に代わり地上波デジタル放送が実用段階となり、地上波デジタル放送に対応したＴＶ製品が開発されている。地上波デジタル放送においては、変調方式として複数の信号（電波）を多重化して送受信することが可能なＯＦＤＭ（Orthogonal Frequency Division Multiplexing：直交周波数分割多重方式）が利用されており、複数の信号（電波）が多重化されている。
【０００９】
ＯＦＤＭには、建物の反射波により発生する多重像妨害（ゴースト）等に強く、移動受信時の遅延波による妨害に強いという特徴がある。従って、自動車や電車の中などの移動中でも、アナログ放送に比べて受信感度が安定する。また、ＯＦＤＭによって多重化された複数の信号の中には携帯機器向けのテレビ放送が含まれているため、従来のアナログ放送の携帯用ＴＶに比べて、より使い易く、画質の良い携帯機器向けの放送が可能となっている。
【発明の開示】
【発明が解決しようとする課題】
【００１０】
このような技術背景のもと、地上波デジタル放送の受信装置を内蔵し、地上波デジタル放送の受信機能（以下、「ＴＶ機能」という。）を搭載した携帯電話やカーナビゲーション装置のような電子機器が開発されている。
【００１１】
しかし、このような電子機器においては、ＴＶ機能を起動することによって、初めてその場所（受信環境）におけるＴＶ放送の受信感度を知ることができるのが通常である。そこで、特許文献１〜３の技術をこの電子機器に適用する方策が考えられる。ところが、特許文献１〜３の技術では、ＴＶ放送受信装置を常時駆動しておく必要がある。そのため、例えば携帯電話においてはバッテリーの消耗が激しくなるといった不具合が生じ得る。
【００１２】
また、特許文献４の技術は、複数の電子機器が必要であるため、単体の電子機器としての利用を考えた場合に現実的ではなかった。
【００１３】
本発明は、以上のような課題に鑑みて為されたものであり、その目的とするところは、ＴＶ放送の受信感度を表示すると共に、省電力設計の電子機器を実現することである。
【課題を解決するための手段】
【００１４】
以上の課題を解決するために、請求項１に記載の発明は、
テレビ放送受信部（例えば、図２のＴＶ部７０）で受信したテレビ放送を表示する制御を行う電子機器において、
前記テレビ放送受信部が非駆動状態の際、間欠的に前記テレビ放送受信部を駆動させてテレビ放送の受信感度を判定する制御を行う感度判定制御手段（例えば、図２のＣＰＵ１０；図８のステップＤ７〜Ｄ９）と、
この感度判定制御手段による判定結果を表示する制御を行う判定結果表示制御手段（例えば、図２のＣＰＵ１０、表示部２０；図８のステップＤ１１）と、
を備えることを特徴としている。
【００１５】
また、請求項５に記載のプログラムは、
テレビ放送受信部（例えば、図２のＴＶ部７０）で受信したテレビ放送を表示する制御を行うコンピュータに
前記テレビ放送受信部が非駆動状態の際、間欠的に前記テレビ放送受信部を駆動させてテレビ放送の受信感度を判定する制御を行う感度判定制御機能（例えば、図２のＣＰＵ１０；図８のステップＤ７〜Ｄ９）と、
この感度判定制御機能による判定結果を表示する制御を行う判定結果表示制御機能（例えば、図２のＣＰＵ１０；図８のステップＤ１１）と、
を実現させることを特徴としている。
【００１６】
請求項１又は５に記載の発明によれば、テレビ放送受信部が非駆動状態の際に、間欠的にテレビ放送受信部を駆動させ、テレビ放送の受信感度を判定して、判定結果を表示する電子機器が実現される。これにより、ユーザは、テレビ放送受信部が非駆動状態のとき、即ちテレビ放送が表示されていないときも、テレビ放送の受信感度を確認することができる。また、間欠的にＴＶ放送受信部を駆動させるため、ＴＶ放送受信部を常時起動させておく必要がなく、電力の消費を抑えることができる。従って、ＴＶ放送の受信感度を表示すると共に、省電力設計の電子機器を実現することができる。
【００１７】
請求項２に記載の発明は、請求項１に記載の電子機器であって、
前記感度判定制御手段は、予め設定された判定時間間隔（例えば、図２のＴＶ放送スキャンインタラプト間隔９３）で前記テレビ放送受信部を駆動させて前記受信感度の判定を行う制御をする時間間隔判定制御手段（例えば、図２のＣＰＵ１０；図８のステップＤ７〜Ｄ９）を有する、
ことを特徴としている。
【００１８】
請求項２に記載の発明によれば、請求項１に記載の発明と同様の効果が得られるのは無論のこと、予め設定された判定時間間隔でテレビ放送受信部を駆動させて受信感度の判定を行う電子機器が実現される。
【００１９】
請求項３に記載の発明は、請求項１に記載の電子機器において、
所定の測位法により現在位置を測位する測位手段（例えば、図１２のＣＰＵ１０、ＧＰＳ測位ブロック１００；図１６のステップＧ２〜Ｇ４）を更に備え、
前記感度判定制御手段は、前記測位された現在位置が予め設定された判定距離（例えば、図１３の設定移動距離９２）変位する毎に前記テレビ放送受信部を駆動させて前記受信感度の判定を行う制御をする距離変位毎判定制御手段（例えば、図２のＣＰＵ１０；図１６のステップＧ５→Ｄ７〜Ｄ１１）を有する、
ことを特徴としている。
【００２０】
請求項３に記載の発明によれば、請求項１に記載の発明と同様の効果が得られるのは無論のこと、所定の測位法で測位された現在位置が予め設定された判定距離変位する毎に、受信感度の判定を行う電子機器が実現される。
【００２１】
請求項４に記載の発明は、請求項１に記載の電子機器において、
所定の無線通信網に接続して無線通話を実行する無線通話手段（例えば、図２のＣＰＵ１０、ＲＦブロック６０；図３のステップＡ７〜Ａ１９；図７の着信検知処理）と、
この無線通話手段による前記無線通信網との間の通信感度を判定する制御を行う通信感度判定手段（例えば、図２のＣＰＵ１０；図３のステップＡ３）と、
を更に備え、
前記判定結果表示制御手段は、前記通信感度判定手段による判定結果を表す通信感度表示体（例えば、図１０（ａ）のアンテナ線ＡＮＴ１）と、前記感度判定制御手段による判定結果を表す放送感度表示体（例えば、図１０（ｂ）のアンテナＡＮＴ３）とを、識別可能に重畳させて表示する制御を行う表示体重畳表示制御手段（例えば、図２のＣＰＵ１０、表示部２０）を有する、
ことを特徴としている。
【００２２】
請求項４に記載の発明によれば、請求項１に記載の発明と同様の効果が得られるのは無論のこと、無線通信網との間の通信感度の判定結果を表す通信感度表示体と、テレビ放送の受信感度の判定結果を表す放送感度表示体とを識別可能に重畳させて表示する電子機器が実現される。
【発明の効果】
【００２３】
請求項１又は５に記載の発明によれば、テレビ放送受信部が非駆動状態の際に、間欠的にテレビ放送受信部を駆動させ、テレビ放送の受信感度を判定して、判定結果を表示する電子機器が実現される。これにより、ユーザは、テレビ放送受信部が非駆動状態のとき、即ちテレビ放送が表示されていないときも、テレビ放送の受信感度を確認することができる。また、間欠的にＴＶ放送受信部を駆動させるため、ＴＶ放送受信部を常時起動させておく必要がなく、電力の消費を抑えることができる。従って、ＴＶ放送の受信感度を表示すると共に、省電力設計の電子機器を実現することができる。
【００２４】
請求項２に記載の発明によれば、予め設定された判定時間間隔でテレビ放送受信部を駆動させて受信感度の判定を行う電子機器が実現される。
【００２５】
請求項３に記載の発明によれば、所定の測位法で測位された現在位置が予め設定された判定距離変位する毎に、受信感度の判定を行う電子機器が実現される。
【００２６】
請求項４に記載の発明によれば、無線通信網との間の通信感度の判定結果を表す通信感度表示体と、テレビ放送の受信感度の判定結果を表す放送感度表示体とを識別可能に重畳させて表示する電子機器が実現される。
【発明を実施するための最良の形態】
【００２７】
〔第１実施形態〕
先ず、本発明の電子機器を携帯電話に適用した場合の第１実施形態について図１〜１１を参照して詳細に説明する。
【００２８】
図１は、携帯電話１の概観図である。同図によれば、携帯電話１は、ＴＶ用アンテナ７９と、電話用アンテナ６２と、ディスプレイ３と、入力スイッチ群５と、マイク４０と、電話用スピーカ４２ａと、外部スピーカ４２ｂとを備えて構成される。
【００２９】
ディスプレイ３は、バックライト付きのカラーＬＣＤ（Liquid Crystal Display）やＥＬＤ（Electronic Luminescent Display）で構成され、携帯電話１の操作に係る各種情報やＴＶ放送等を表示する。
【００３０】
入力スイッチ群５は、機能設定スイッチ５ａ、ＴＶスイッチ５ｂ、カーソルスイッチ５ｃ、決定スイッチ５ｄ、クリアスイッチ５ｅ、オフフックスイッチ５ｆ、オンフックスイッチ５ｇ等により構成される。
【００３１】
機能設定スイッチ５ａは、機能設定リスト画面Ｗ５を表示させるためのスイッチである。カーソルスイッチ５ｃは、画面のスクロールや選択操作を行うためのスイッチであり、上下左右の４方向を検出可能に構成される。ユーザは、機能設定リスト画面Ｗ５に表示された項目や設定内容をカーソルスイッチ５ｃによって変更し、決定スイッチ５ｄを押下（オン）することによって設定内容を決定し、携帯電話１の各種設定を行う。
【００３２】
ＴＶスイッチ５ｂは、携帯電話１のＴＶ機能を起動させるためのスイッチである。クリアスイッチ５ｅは、入力内容をクリアしたり、画面状態を直前の画面に戻したりするためのスイッチである。オフフックスイッチ５ｆは、入力された電話番号への発信や、着信時に通話を開始するためのスイッチであり、オンフックスイッチ５ｇは、通話を終了するためのスイッチである。また、オンフックスイッチ５ｇは、携帯電話１の電源スイッチとしても機能し、所定時間（例えば、３秒）の間押下され続けると、携帯電話１の電源の投入／遮断（オン／オフ）の切り替えが行われる。また、オンフックスイッチ５ｇが押下（オン）されて携帯電話１の電源が投入されると、第１実施形態に係る第１携帯基本処理が実行される。
【００３３】
図２は、携帯電話１の機能構成の一例を示すブロック図である。同図によれば、携帯電話１は、ＣＰＵ１０と、表示ドライバ２２によって制御される表示部２０と、入力部３０と、マイク４０と、スピーカ４２と、電源部５０と、電話用アンテナ６２によって通話信号を送受信するＲＦブロック６０と、ＴＶ部７０と、ＲＯＭ（Read Only Memory）８０と、ＲＡＭ（Random Access Memory）９０とを備えて構成される。
【００３４】
ＣＰＵ１０は、入力される指示に応じて所定のプログラムに基づいた処理を実行し、各機能部への指示やデータの入出力を行う。具体的には、ＣＰＵ１０は、入力部３０から入力される押下信号に応じてＲＯＭ８０に格納されたプログラムを読み出し、当該プログラムに従って処理を実行する。そして、処理結果を表示するための表示制御信号を表示ドライバ２２に出力して、当該表示制御信号に従った表示画面を表示部２０に表示させる。
【００３５】
尚、画像や音声の信号処理用にＤＳＰ（Digital Signal Processor）を具備する構成としてもよい。その場合、本実施形態におけるＣＰＵ１０と、ＤＳＰとを同一のＬＳＩパッケージに組み込み、一体の回路として構成することとしてもよいし、ＣＰＵ１０がＤＳＰとしての機能をソフトウェア的に実現することとしてもよい。具体的に、ＤＳＰとは、デジタル信号処理用プロセッサのことであり、音声信号や映像信号を符号化して音声データや映像データを生成したり、逆に符号化された音声データや映像データを復号して音声信号や映像信号を抽出したりする。
【００３６】
表示ドライバ２２は、ＣＰＵ１０から入力される表示制御信号に基づいて表示部２０を制御して各種画面を表示させたり、映像復号部７５から入力される映像信号に基づいてＴＶ放送を表示させたりするものである。表示部２０は、携帯電話１の各種情報やＴＶ放送等を表示するための表示装置であり、ＬＣＤやＥＬＤ等で構成される。尚、この表示部２０は図１に示すディスプレイ３に相当するものである。
【００３７】
入力部３０は、プログラムの実行や、各種情報等の入力に必要なスイッチ群を備えた入力装置であり、ユーザによって押下されたスイッチの押下信号をＣＰＵ１０に出力する。尚、この入力部３０は、図１に示す入力スイッチ群５に相当するものである。
【００３８】
マイク４０は、Ａ／Ｄ変換部を備えており、ユーザの送話音声をＡ／Ｄ変換し、送話音声データとしてＣＰＵ１０に出力する。
【００３９】
スピーカ４２は、Ｄ／Ａ変換部を備えており、ＣＰＵ１０から入力される音声信号や、着信音、操作確認音等の音声データをＤ／Ａ変換して音声出力する。また、音声復号部７７から入力される音声信号に基づいて音声出力する。尚、スピーカ４２は、図１に示す電話用スピーカ４２ａと外部スピーカ４２ｂとに相当するものである。
【００４０】
電源部５０は、電源用回路や充電池等により構成され、ＣＰＵ１０から入力される指示に基づいて、各機能部への電源供給を行う。特に、第１実施形態の特徴的な制御として、電源部５０によるＴＶ部７０及びＴＶチューナ部７１への電源供給の投入／遮断の切り替え制御が行われる。具体的には、ＣＰＵ１０の指示に基づいて、ＴＶ部７０全体への電源供給を切り替えたり、ＴＶ部７０のＴＶチューナ部７１のみに電源供給したりする。図２において、第１実施形態の特徴となるＴＶ部７０及びＴＶチューナ部７１への電源供給ラインを太線にて示し、他の機能部への電源供給ラインの図示を省略する。
【００４１】
ＲＦブロック６０は、ＣＰＵ１０から入力される指示に基づき、電話用アンテナ６２を介して無線通信網（無線電話網を含む）上の無線基地局との間で無線通信を行う。無線基地局から送信される信号を電話用アンテナ６２で受信し、当該信号を増幅及び復調し、受話音声データとして電話用スピーカ４２ａに出力する。また、マイク４０から入力された送話音声データを変調して、電話用アンテナ６２から無線基地局へ送信する。ここで送受信される信号は、音声信号やデータ信号を送受信するための無線信号であり、無線信号の変復調方式としては、ＰＤＣ（Personal Digital Cellular）方式、ＣＤＭＡ（Code Division Multiple Access）方式、ＧＳＭ（Global System for Mobile communication）方式等の各種公知技術の何れを利用することとしてもよい。
【００４２】
ＴＶ部７０は、地上波デジタル放送を受信するための回路ブロックである。ＴＶ部７０は、ＴＶ用アンテナ７９を介して地上波デジタル放送の信号（以下、「ＴＶ信号」という。）を受信するＴＶチューナ部７１と、ＯＦＤＭ復調部７３と、映像復号部７５と、音声復号部７７とを備えて構成される。
【００４３】
ＴＶチューナ部７１は、ＴＶ用アンテナ７９を同調させることによって、ユーザに指定されたチャンネルに対応する周波数のＴＶ信号を受信し、ＯＦＤＭ復調部７３に出力する回路部である。先ず、ユーザにより放送局が選局されると、ＴＶチューナ部７１は、選局された放送局のチャンネルに対応する周波数に同調することでＴＶ用アンテナ７９によって当該チャンネルに対応するＴＶ信号を受信する。そして、受信したＴＶ信号（ＯＦＤＭ変調信号）を、ＯＦＤＭ復調部７３に出力する。
【００４４】
ＯＦＤＭ復調部７３は、ＴＶチューナ部７１から出力されたＯＦＤＭ変調信号を復調し、映像復号部７５及び音声復号部７７に出力する回路部である。ＯＦＤＭ変調信号を復調する方法は公知であるが、簡単に説明すると、ＯＦＤＭ復調部７３は、ＴＶチューナ部７１から入力されたＯＦＤＭ変調信号をＡ／Ｄ変換し、変換した信号に対して、同調処理、ＦＦＴ演算（Fast Fourier Transform）、誤り訂正処理を実行することによりＴＳ（Transport Stream：トランスポート・ストリーム）を抽出する。そして、抽出したＴＳから映像データと音声データとを分離し、映像データを映像復号部７５に、音声データを音声復号部７７に出力する。
【００４５】
映像復号部７５は、入力された映像データを復号し、映像信号として表示ドライバ２２を介して表示部２０に出力する。また、音声復号部７７は、入力された音声データを復号し、音声信号として外部スピーカ４２ｂに出力する。ここで、映像データ又は音声データはＭＰＥＧ（Moving Picture Experts Group）等の何れかの公知技術で符号化されており、符号化された方式に対応する復号方式で復号する。
【００４６】
ＲＯＭ８０は、各種初期設定、ハードウェアの検査、あるいは必要なプログラムのロードを行うための初期プログラムを格納する。ＣＰＵ１０は、携帯電話１の電源投入時にこの初期プログラムを実行することにより、携帯電話１の動作環境を設定する。また、ＲＯＭ８０は、携帯電話１の動作に係る各種機能を実現するためのデータやプログラムを格納する。
【００４７】
図２によれば、ＲＯＭ８０は、第１携帯基本プログラム８１と、着信検知プログラム８５と、第１ＴＶ放送スキャンインタラプトプログラム８７とを格納する。
【００４８】
第１携帯基本プログラム８１は、第１実施形態に係る第１携帯基本処理を実現するためのプログラムであり、サブルーチンとしてスキャン間隔設定プログラム８３を有する。第１携帯基本処理は、携帯電話１の電源投入時にＣＰＵ１０により第１携帯基本プログラム８１がＲＯＭ８０から読み出されて、ＲＡＭ９０に展開されることで開始される。
【００４９】
着信検知プログラム８５は、着信検知処理を実現するためのプログラムである。着信検知処理は、ＣＰＵ１０により電話の着信が検知されると、着信検知プログラム８５がＲＯＭ８０から読み出されて、ＲＡＭ９０に展開されることで開始される。
【００５０】
第１ＴＶ放送スキャンインタラプトプログラム８７は、第１実施形態に係る第１ＴＶ放送スキャンインタラプト処理を実現するためのプログラムである。第１ＴＶ放送スキャンインタラプト処理は、後述するＴＶ放送スキャンインタラプト間隔９３の時間おきに動作する携帯電話１の割り込み処理である。具体的には、ＣＰＵ１０により計時される割り込み計時時間９１がＴＶ放送スキャンインタラプト間隔９３の時間に達すると、第１ＴＶ放送スキャンインタラプトプログラム８７がＲＯＭ８０から読み出されて、ＲＡＭ９０に展開されることで開始される。従って、第１ＴＶ放送スキャンインタラプト処理は、ＴＶ放送スキャンインタラプト間隔９３の時間間隔おきに実行されることとなる。
【００５１】
ＲＡＭ９０は、ＣＰＵ１０が実行する各種プログラムや、これらプログラムの実行に係るデータ等を一時的に保持するための記憶領域である。
【００５２】
同図によれば、ＲＡＭ９０は、割り込み計時時間９１と、ＴＶ放送スキャンインタラプト間隔９３と、受信感度レベル９５と、通信感度レベル９７と、ＴＶ部一時オフフラグ９９とを格納する。
【００５３】
割り込み計時時間９１は、ＣＰＵ１０により計時される計時時間である。ＣＰＵ１０は、所定のタイマー処理によって計時を開始すると、計時時間によって割り込み計時時間９１を随時更新する。
【００５４】
ＴＶ放送スキャンインタラプト間隔９３は、第１ＴＶ放送スキャンインタラプト処理の実行を開始するための判定時間間隔であり、ユーザによって設定される携帯電話１の設定情報である。具体的には、ＴＶ放送スキャン時間設定画面Ｗ７において、ユーザにより選択された時間がＴＶ放送スキャンインタラプト間隔９３としてＲＡＭ９０に記憶される。また、ＣＰＵ１０は、割り込み計時時間９１がＴＶ放送スキャンインタラプト間隔９３の時間に達したか否かを判定し、達したと判定すると、第１ＴＶ放送スキャンインタラプト処理を実行すると共に、割り込み計時時間９１をクリアし再度タイマー処理による計時を開始する。
【００５５】
受信感度レベル９５は、ＴＶ用アンテナ７９で受信されたＴＶ信号の受信感度を表すレベルである。ＣＰＵ１０は、ＴＶ用アンテナ７１で受信されたＴＶ信号の受信感度を検出し、当該受信感度を予め設定された判定条件により判定して、「高」、「中」、「低」及び「圏外」の４つのレベルの何れかを受信感度レベル９５に設定する（この一連の処理を「受信感度レベル検知処理」という。）。ここで、「圏外」とは、受信されたＴＶ信号の受信感度がテレビ放送を完全に受像できない微弱なレベルであることを表す。
【００５６】
また、受信感度レベル９５に対応した表示体として受信感度マークが表示部３０に表示される。例えば、受信感度レベル９５に「高」が設定された場合は、表示部２０には、図９（ａ）のようなアンテナ線ＡＮＴ１の本数が３本の受信感度マークが表示される。「中」、「低」及び「圏外」の場合には、それぞれ図９の（ｂ）、（ｃ）及び（ｄ）の様な受信感度レベル９５に応じたアンテナ線ＡＮＴ１で受信感度マークが表示される。受信感度レベル９５に対応して表示される受信感度マークによってＴＶ信号の受信品質の目安をユーザに通知する。
【００５７】
通信感度レベル９７は、電話用アンテナ６２で受信された無線基地局から定常的に送信される信号の受信感度を表すレベルである。ＣＰＵ１０は、電話用アンテナ６２で受信された信号の受信感度を検出し、当該受信感度を所定の判定条件により判定して、「高」、「中」、「低」及び「圏外」の４つのレベルの何れかを通信感度レベル９７に設定する。受信感度レベル９５と同様に、通信感度レベル９７に「高」が設定された場合は、表示部２０には、図９（ｅ）のような通信感度マークＭ１が表示される。
【００５８】
ＴＶ部一時オフフラグ９９は、ＴＶ部７０の電源供給を一時的に遮断（オフ）しているか否かを識別するためのフラグである。ＣＰＵ１０は、ＴＶ部７０の電源を一時的にオフにした場合に、当該フラグを一時オフ状態に設定する。
【００５９】
次に、携帯電話１の第１携帯基本処理の具体的な動作について、図３〜６のフローチャートを用いて説明する。
【００６０】
先ず、ユーザにより携帯電話１の電源が投入されると、ＣＰＵ１０は、第１携帯基本プログラム８１をＲＯＭ８０から読み出し、ＲＡＭ９０に展開することで第１携帯基本処理を開始する。
【００６１】
第１携帯基本処理を開始すると、ＣＰＵ１０は、携帯電話１の初期化処理（イニシャライズ）を行う（ステップＡ１）。具体的には、携帯電話１の各種機能の設定を初期化するとともに、割り込み計時時間９１を初期化して、タイマー処理による割り込み計時時間９１の更新を開始する。
【００６２】
そして、表示部２０に待受画面と通信感度レベルを表す通信感度マークとを表示させる（ステップＡ３）。待受画面とは、携帯電話１の着信待機時に表示部２０に表示させる予め設定された画面である。
【００６３】
そして、ユーザによりオフフックスイッチ５ｆがオン（押下）されたか否かを判別し（ステップＡ５）、オンされたと判別した場合は（ステップＡ５：Ｙｅｓ）、ユーザにより入力された電話番号を一時的に記憶し（番号入力処理）、当該電話番号へ発信する（ステップＡ７→Ａ９）を行う。
【００６４】
そして、ＣＰＵ１０は、通信先の携帯電話との接続が確立するまで、呼出音を電話用スピーカ４２ａから出力させて待機する（ステップＡ１１）。通信先の携帯電話との接続が確立されたことを検出すると（ステップＡ１３：Ｙｅｓ）、ＣＰＵ１０は、オンフックスイッチ５ｇがオンされるまで送受話音声の送受信（通話処理）を行う（ステップＡ１５）。
【００６５】
オンフックスイッチ５ｇがオンされたことを検知すると（ステップＡ１７）、通信先の携帯電話との接続を切断し（終話処理）（ステップＡ１９）、ステップＡ３の処理へ移行する。
【００６６】
ステップＡ５において、オフフックスイッチ５ｆがオンされなかったと判別した場合は（ステップＡ５：Ｎｏ）、ＴＶスイッチ５ｂがオンされたか否かを判別する（ステップＡ２１）。オンされたと判別した場合は（ステップＡ２１：Ｙｅｓ）、電源部５０に、ＴＶチューナ部７１、ＯＦＤＭ復調部７３、映像復号部７５及び音声復号部７７といったＴＶ部７０全体に電源供給させ、ＴＶ部７０をオン（起動）させる（ステップＡ２３）。
【００６７】
そして、ＴＶ部７０で受信されたＴＶ信号に基づいたテレビ放送を表示部２０に表示させ、受信感度レベル検知処理を行い、受信感度レベル９５に対応する受信感度マークを表示部２０に表示させる（ステップＡ２５〜Ａ２９）。
【００６８】
ＣＰＵ１０は、ＴＶスイッチ５ｂがオフされるまで、ステップＡ２５〜Ａ２９の処理を行う。即ち、テレビ放送の表示時には常に受信感度レベル９５が検出されて受信感度マークが表示部２０に表示されることとなる。
【００６９】
ＣＰＵ１０は、ＴＶスイッチ５ｂがオフされたことを検出すると（ステップＡ３１：Ｙｅｓ）、ＴＶ部７０の電源をオフにする（ステップＡ３３）。そして、表示部２０に表示させていた受信感度マークを消灯させた後（ステップＡ３５）、ステップＡ３の処理へ移行する。
【００７０】
ステップＡ２１においてＴＶスイッチがオンされなかったと判別した場合（ステップＡ２１：Ｎｏ）、ＣＰＵ１０は、機能設定スイッチ５ａがオンされたか否かを判別する（ステップＡ３７）。オンされなかったと判別した場合は（ステップＡ３７：Ｎｏ）、携帯電話１に係るその他の処理を行い（ステップＡ５５）、ステップＡ３の処理へ移行する。
【００７１】
また、機能設定スイッチ５ａがオンされたと判別した場合は（ステップＡ３７：Ｙｅｓ）、表示部２０に機能設定リスト画面Ｗ５を表示させ、当該画面に表示されたリストの１つの項目にフォーカス（例えば、図９（ｇ）のフォーカスＦＣ１）を表示する（ステップＡ３９→Ａ４１）。
【００７２】
ＣＰＵ１０は、カーソルスイッチ５ｃがオンされたか否かを判別し（ステップＡ４３）、オンされたと判別した場合は（ステップＡ４３：Ｙｅｓ）、フォーカス位置をカーソルスイッチ５ｃの押下された方向に従って１つ移動する（ステップＡ４５）。
【００７３】
カーソルスイッチ５ｃがオンされなかった場合（ステップＡ４３：Ｎｏ）、又はステップＡ４５の処理の後、決定スイッチ５ｄがオンされたか否かを判別する（ステップＡ４７）。決定スイッチ５ｄがオンされなかったと判別した場合は（ステップＡ４７：Ｎｏ）、更に、クリアスイッチ５ｅがオンされたか否かを判別する（ステップＡ５７）。クリアスイッチ５ｅがオンされた場合は（ステップＡ５７：Ｙｅｓ）、ステップＡ３の処理へ移行する。また、オンされなかった場合は（ステップＡ５７：Ｎｏ）、ステップＡ４３の処理へ移行する。
【００７４】
ステップＡ４７において、決定スイッチ５ｄがオンされたと判別した場合（ステップＡ４７：Ｙｅｓ）、ＣＰＵ１０は、フォーカス位置が機能設定リスト画面Ｗ５内の「スキャン間隔」の位置であるか否かを判別する（ステップＡ４９）。フォーカス位置が「スキャン間隔」の位置であると判別した場合は（ステップＡ４９：Ｙｅｓ）、スキャン間隔設定処理を実行する（ステップＡ５１）。また、「スキャン間隔」の位置ではないと判別した場合は（ステップＡ４９：Ｎｏ）、その他の設定処理を行い（ステップＡ５３）、ステップＡ３９の処理へ移行する。
【００７５】
ＣＰＵ１０は、スキャン間隔設定プログラム８３をＲＯＭ８０から読み出し、ＲＡＭ９０に展開することによってスキャン間隔設定処理を開始する。
【００７６】
スキャン間隔設定処理を開始すると、先ず、ＣＰＵ１０は、スキャン間隔設定画面Ｗ７を表示部２０に表示させ、当該画面に表示された１つの時間項目にフォーカス（例えば、図９（ｈ）のフォーカスＦＣ３）を表示させる（ステップＢ１→Ｂ３）。
【００７７】
そして、カーソルスイッチ５ｃがオン（押下）されたか否かを判別し（ステップＢ５）、オンされた場合は（ステップＢ５：Ｙｅｓ）、フォーカス位置をカーソルスイッチ５ｃの押下された方向に合わせて１つ移動させる（ステップＢ７）。
【００７８】
カーソルスイッチ５ｃがオンされなかったと判別した場合（ステップＢ５：Ｎｏ）、又は、ステップＢ７の処理の後、ＣＰＵ１０は、決定スイッチ５ｄがオンされたか否かを判別する。決定スイッチ５ｄがオンされたと判別した場合は（ステップＢ９：Ｙｅｓ）、フォーカス位置の時間をＴＶ放送スキャンインタラプト間隔９３としてＲＡＭ９０に記憶させる（ステップＢ１１）。
【００７９】
決定スイッチ５ｄがオンされなかったと判別した場合は（ステップＢ９：Ｎｏ）、クリアスイッチ５ｅがオンされたか否かを判別する（ステップＢ１３）。クリアスイッチ５ｅがオンされなかったと判別した場合は（ステップＢ１３：Ｎｏ）、ステップＢ５の処理へ移行する。
【００８０】
クリアスイッチ５ｅがオンされた場合（ステップＢ１３：Ｙｅｓ）、又は、ステップＢ１１の処理の後、ＣＰＵ１０は、スキャン間隔設定処理を終了する。
【００８１】
次に、携帯電話１の着信検知処理の具体的な動作について、図７のフローチャートを用いて説明する。
【００８２】
ＣＰＵ１０は、電話の着信を検知すると、着信検知プログラム８５をＲＯＭ８０から読み出して、ＲＡＭ９０に展開することで着信検知処理を開始する。
【００８３】
着信検知処理を開始すると、ＣＰＵ１０は、ＴＶ部７０の電源がオン中であるか否かを判別し（ステップＣ１）、オン中であると判別した場合は（ステップＣ１：Ｎｏ）、ＴＶ部７０の電源を一時的にオフにする（ステップＣ３）。このとき、ＣＰＵ１０は、ＴＶ部一時オフフラグ９９を一時オフ状態に設定する。そして、表示部２０に表示させている受信感度マークを消灯させる（ステップＣ５）。
【００８４】
ステップＣ１においてＴＶ部７０の電源がオン中でないと判別した場合（ステップＣ１：Ｎｏ）、又はステップＣ５の処理の後、ＣＰＵ１０は、オフフックスイッチ５ｆがオンされるまで着信を検知したことをユーザに知らせる着信画面を表示部２０に表示させるとともに、着信音を外部スピーカ４２ｂから出力させて（着信報知）（ステップＣ７→Ｃ９）、待機する。
【００８５】
オフフックスイッチ５ｆがオンされたことを検知すると（ステップＣ１１：Ｙｅｓ）、ＣＰＵ１０は、オンフックスイッチ５ｇがオンされるまで通話処理を行う（ステップＣ１３）。
【００８６】
ＣＰＵ１０は、オンフックスイッチ５ｇをオンされたことを検知すると（ステップＣ１５：Ｙｅｓ）、終話処理を行い（ステップＣ１７）、ＴＶ部７０が一時的にオフ中であるか否かをＴＶ部一時オフフラグ９９によって判別する（ステップＣ１９）。
【００８７】
ＴＶ部一時オフフラグ９９が一時オフ状態である場合（ステップＣ１９：Ｙｅｓ）、ＣＰＵ１０は、ＴＶ部７０の電源をオンにして、受信感度レベル検知処理を行った後、受信感度レベル９５に基づいて、受信感度マークを表示部２０に表示させて（ステップＣ２１〜Ｃ２５）、着信検知処理を終了する。
ＴＶ部一時オフフラグ９９が一時オフ状態でない場合は（ステップＣ１９：Ｎｏ）、そのまま着信検知処理を終了する。
【００８８】
次に、携帯電話１の第１ＴＶ放送スキャンインタラプト処理の具体的な動作について、図８のフローチャートを用いて説明する。
【００８９】
ＣＰＵ１０は、割り込み計時時間９１がＴＶ放送スキャンインタラプト間隔９３の時間に達したか否かを判定し、達したと判定すると、第１ＴＶ放送スキャンインタラプトプログラム８７をＲＯＭ８０から読み出し、ＲＡＭ９０に展開することで第１ＴＶ放送スキャンインタラプト処理を開始する。
【００９０】
第１ＴＶ放送スキャンインタラプト処理を開始すると、ＣＰＵ１０は、ＴＶ部７０の電源がオフであるか否かを判別し（ステップＤ１）、オフでないと判別すると（ステップＤ１：Ｎｏ）、第１ＴＶ放送スキャンインタラプト処理を終了する。
【００９１】
ＴＶ部７０の電源がオフであると判別すると（ステップＤ１：Ｙｅｓ）、ＣＰＵ１０は、現在時刻を取得し（ステップＤ３）、取得した現在時刻が予め設定された夜間時間帯（例えば、深夜０：００〜早朝６：００）の時刻であるか否かを判別する（ステップＤ５）。
【００９２】
現在時刻が夜間時間帯の時刻であると判別した場合は（ステップＤ５：Ｎｏ）、表示部２０に表示させている受信感度マークを消灯させ（ステップＤ１５）、第１ＴＶ放送スキャンインタラプト処理を終了する。
【００９３】
また、夜間時間帯の時刻ではないと判別した場合は（ステップＤ５：Ｙｅｓ）、ＴＶ部７０中のＴＶチューナ部７１のみの電源をオンにして（ステップＤ１１）、受信感度レベル検知処理を行う（ステップＤ９）。そして、受信感度レベル９５に基づいて受信感度マークを表示部２０に表示させて、ＴＶチューナ部７１の電源をオフにした後（ステップＤ１１〜Ｄ１３）、第１ＴＶ放送スキャンインタラプト処理を終了する。
【００９４】
第１ＴＶ放送スキャンインタラプト処理は、上述したようにＴＶ放送スキャンインタラプト間隔９３の時間おきに実行される処理であるため、予め設定された時間おきにＴＶチューナ部７１を起動し、受信感度を検出して、当該受信感度を受信感度マークとして表示させる。従って、ＴＶチューナ部７１が起動されておらず、テレビ放送が表示されていない間も、表示部２０上に受信感度マークを定期的に更新表示させることができる。また、受信感度を検出するために所定時間おきにのみＴＶチューナ部７１を起動するため、常時ＴＶチューナ部７１の起動状態とする必要がなく電力の消費を抑えることができる。
【００９５】
図９（ｅ）〜（ｈ）は、携帯電話１の表示画面の一例を示す図である。
図９（ｅ）は、待受画面Ｗ１の一例である。待受画面Ｗ１には、通信感度マークＭ１と、受信感度マークＭ３とが表示される。同図（ｅ）において、通信感度マークＭ１は、電話用アンテナ６２で受信される信号の通信感度が「高」であることを表し、受信感度マークＭ３は、ＴＶ用アンテナ７９で受信されるＴＶ信号の受信感度が「圏外」であることを表す。ここで、通信感度マークＭ１は、第１携帯基本処理のステップＡ３による通信感度レベルの検出及び表示によるものであり、受信感度マークＭ３は、第１ＴＶ放送スキャンインタラプト処理のステップＤ９〜Ｄ１１による受信感度レベルの検出及び表示によりものである。また、夜間時間帯には、受信感度マークＭ３は表示されない。
【００９６】
図９（ｆ）は、ＴＶ放送画面Ｗ３の一例である。ユーザは、ＴＶスイッチ５ｂを押下（オン）すると、ＴＶ放送画面Ｗ３が表示部２０に表示される。ＴＶ放送画面Ｗ３には、通信感度マークＭ１と、受信感度マークＭ５と、テレビ映像ＩＭＧとが表示されている。このとき、表示される受信感度マークＭ５は、第１携帯基本処理のステップＡ２７〜Ａ２９による受信感度レベルの検出及び表示によるものである。
【００９７】
図９（ｇ）は、機能設定リスト画面Ｗ５の一例である。ユーザは、カーソルスイッチ５ｃを上下方向に押下（オン）することにより、所望の設定項目を選択する。同図においては、ユーザは、「スキャン間隔」を選択しており、決定スイッチ５ｄをオンすると、図９（ｈ）のようなＴＶ放送スキャン時間設定画面Ｗ７が表示部２０に表示される。
【００９８】
ユーザは、機能設定リスト画面Ｗ５と同様の操作で所望の時間を選択し、決定スイッチ５ｄを押下して、ＴＶ放送の受信感度を検出及び表示する時間間隔を設定する。同図において、ユーザは「１分」を選択しており、決定スイッチ５ｄを押下すると、ＴＶ放送スキャンインタラプト間隔９３に「１分」が設定される。従って、１分おきにＴＶチューナ部７１の電源がオンされ、受信感度が検出されて受信感度マークが更新表示される。
【００９９】
以上、第１実施形態によれば、ユーザにより設定されたＴＶ放送スキャンインタラプト間隔９３の時間おきに、ＴＶチューナ部７１の電源をオンにし、ＴＶ用アンテナ７９において受信されるＴＶ信号の受信感度レベルを検出し、表示部２０に表示させる携帯電話が実現される。従って、ユーザは、ＴＶ放送が表示されている間は無論のこと、ＴＶ放送が表示されていない間にも、定期的に更新表示される受信感度マークによりＴＶ放送の受信感度を確認することができる。そのため、ＴＶ放送が表示されていないときに、ＴＶ機能を起動して受信感度を確認するといった煩雑な操作をすることなく、容易に受信感度を確認することができる。
【０１００】
また、所定時間おきにＴＶチューナ部７１を駆動して受信感度を検出及び表示することにより、受信感度を表示しながらにして電力の消費を抑えることができる。また、ユーザが携帯電話を使用しない夜間時間帯には受信感度の検出を停止することで、省電力の携帯電話が実現される。
【０１０１】
尚、第１実施形態において、夜間時間帯においては、受信感度の検出及び表示を自動的に停止することとして説明したが、停止するか否かや、停止する時間帯をユーザが設定可能なようにしてもよい。
【０１０２】
また、受信感度マークと通信感度マークとを個々に表示することとして説明したが、このような表示に限られるものではなく、適宜変更表示可能である。以下、受信感度マークと通信感度マークとを識別可能に重畳させて表示させた場合の２つの変形例を説明する。
【０１０３】
〔変形例１〕
図１０は、受信感度マークと通信感度マークとを識別可能に重畳させて表示させた場合の一例である。同図において、通信感度マークは、黒に塗りつぶしたアンテナ線ＡＮＴ１で表され、受信感度マークは、斜線で網掛けされたアンテナ線ＡＮＴ３で表される。
【０１０４】
図１０（ａ）は、通信感度レベルが「高」であり、受信感度レベルが「圏外」であることを表す。また、図１０（ｂ）は、通信感度レベルが「圏外」であり、受信感度レベルが「高」であることを表す。
【０１０５】
また、図１０（ｃ）は、通信感度レベルが「中」であり、受信感度レベルが「高」であることを表す。また、図１０（ｄ）は、通信感度レベルが「高」であり、受信感度レベルが「中」であることを表す。図１０（ｃ）及び（ｄ）のように、通信感度マークのアンテナ線ＡＮＴ１と受信感度マークのアンテナ線ＡＮＴ３との重畳部分が斜線の網掛けを反転表示させた形態（ＡＮＴ５）で表示されるため、通信感度マークと受信感度マークとの識別が可能となる。
【０１０６】
〔変形例２〕
図１１は、通信感度マークに受信感度マークを識別可能に重畳させて表示させた場合の他の例である。同図において、通信感度マークは、黒色で塗りつぶされたアンテナ線ＡＮＴ１で表され、受信感度マークは、通信感度マークよりも短い白色で塗りつぶされたアンテナ線ＡＮＴ７で表される。
【０１０７】
図１１（ａ）は、通信感度レベルが「高」であり、受信感度レベルが「圏外」であることを表す。また、図１１（ｂ）は、通信感度レベルが「圏外」であり、受信感度レベルが「高」であることを表す。
【０１０８】
また、図１１（ｃ）は、通信感度レベルが「中」であり、受信感度レベルが「高」であることを表す。また、図１１（ｄ）は、通信感度レベルが「高」であり、受信感度レベルが「中」であることを表す。図１１（ｃ）及び（ｄ）のように、通信感度マークのアンテナ線ＡＮＴ１の上に受信感度マークのアンテナ線ＡＮＴ７を重ねるように表示することで、通信感度マークと受信感度マークとの識別が可能となる。
【０１０９】
以上、変形例１及び２によれば、通信感度マークと受信感度マークを重畳させて表示させることで、表示部３０の表示領域の省スペース化が可能となる。
【０１１０】
また、例えば、図９（ｆ）のように、通信感度マークＭ１と受信感度マークＭ５とを並べて表示すると、２つのマークは同じような表示形態であるため、ユーザは、通信感度レベルと受信感度レベルとを見間違え易い。特に、携帯電話の主機能である通信感度レベルを瞬時に見分けることが困難となる。変形例１及び２のような表示により、通信感度レベルを表す黒で塗りつぶしたアンテナ線ＡＮＴ１が受信感度マークよりも際立つため、携帯電話の通信感度マークが分かり易くなり、ユーザの誤認を防止することができる。
【０１１１】
〔第２実施形態〕
次に、本発明の電子機器を携帯電話に適用した場合の第２実施形態について図１２〜図１７を用いて説明する。第２実施形態における携帯電話１は、図２に示した携帯電話１の構成のＲＯＭ８０及びＲＡＭ９０を、図１３に示すＲＯＭ８００及びＲＡＭ９００に置き換え、更に、ＧＰＳ（Global Positioning Systems）測位ブロック１００を備えて構成される。尚、第１実施形態と同一の構成要素には同一の符号を付し、図３〜６の第１携帯基本処理、及び図８の第１ＴＶ放送スキャンインタラプト処理と同一の処理内容には同一の符号を付してその説明を省略する。
【０１１２】
ＧＰＳ測位ブロック１００は、ＧＰＳ衛星から送信されるＧＰＳ信号に基づいて現在位置を測位する（この処理を「ＧＰＳ測位演算」という。）。具体的には、複数のＧＰＳ衛星から送信されるＧＰＳ信号をＧＰＳアンテナ１０２により受信し、受信したＧＰＳ信号から位置情報（例えば、経度、緯度）を抽出し、抽出した位置情報を測位結果としてＣＰＵ１０へ出力する。
【０１１３】
図１３（ａ）によれば、ＲＯＭ８００は、第２携帯基本プログラム８４と、着信検知プログラム８５と、第２ＴＶ放送スキャンインタラプトプログラム８８とを格納する。
【０１１４】
第２携帯基本プログラム８４は、第２実施形態に係る第２携帯基本処理を実現するためのプログラムであり、スキャン間隔設定プログラム８３と移動距離設定プログラム８６とをサブルーチンとして有する。第２携帯基本処理は、ＣＰＵ１０により第２携帯基本プログラム８４がＲＯＭ８００から読み出され、ＲＡＭ９００に展開されることにより開始される。
【０１１５】
第２ＴＶ放送スキャンインタラプトプログラム８８は、第２実施形態に係る第２ＴＶ放送スキャンインタラプト処理を実現するためのプログラムである。第２ＴＶ放送スキャンインタラプト処理は、ＣＰＵ１０により第２ＴＶ放送スキャンインタラプトプログラム８８がＲＯＭ８００から読み出され、ＲＡＭ９００に展開されることにより開始される。
【０１１６】
図１３（ｂ）によれば、ＲＡＭ９００は、割り込み計時時間９１と、ＴＶ放送スキャンインタラプト間隔９３と、受信感度レベル９５と、通信感度レベル９７と、設定移動距離９２と、現在測位結果９４と、前回測位結果９６と、演算移動距離９８とを格納する。
【０１１７】
設定移動距離９２は、携帯電話１の移動距離を判定するための判定距離であり、ユーザにより設定される携帯電話１の設定情報である。具体的には、テレビ放送スキャン移動距離設定画面Ｗ９において、ユーザにより選択された距離が設定移動距離９２としてＲＡＭ９００に記憶される。
【０１１８】
現在測位結果９４は、ＧＰＳ測位ブロック１００により測位された測位結果であり、携帯電話１の位置情報が格納される。前回測位結果９６は、ＧＰＳ測位ブロック１００により測位された前回の測位結果である。
【０１１９】
演算移動距離９８は、現在測位結果９４と前回測位結果９６とから算出される携帯電話１の移動距離である。ＣＰＵ１０はＴＶ放送スキャンインタラプト間隔９３の時間おきに携帯電話の１の移動距離（演算移動距離９８）を演算し、当該移動距離が設定移動距離９２を超えたと判定した場合に、ＴＶチューナ部７１の電源をオンにして、受信感度の検出を行う。
【０１２０】
次に、携帯電話１の第２携帯基本処理の具体的な動作について、図１４及び１５のフローチャートを用いて説明する。
【０１２１】
先ず、ユーザにより携帯電話１の電源がＯＮされると、ＣＰＵ１０は、第２携帯基本プログラム８４をＲＯＭ８００から読み出し、ＲＡＭ９００に展開することで第２携帯基本処理を開始する。
【０１２２】
第２携帯基本処理を開始すると、ＣＰＵ１０は、第１携帯基本処理と同様にステップＡ１〜Ａ４９までの処理を行う。ステップＡ４９において、フォーカス位置が「スキャン間隔」の位置ではないと判別した場合（ステップＡ４９：Ｎｏ）、ＣＰＵ１０は、フォーカス位置が機能設定リスト画面Ｗ５内の「移動距離」の位置であるか否かを判別する（ステップＥ５２−１）。
【０１２３】
フォーカス位置が「移動距離」の位置ではないと判別した場合は、その他の設定処理を行う（ステップＡ５３）。また、「移動距離」の位置であると判別した場合は（ステップＥ５２−１：Ｙｅｓ）、移動距離設定処理を行う（ステップＥ５２−２）。
【０１２４】
ＣＰＵ１０は、移動距離設定プログラム８６をＲＯＭ８００から読み出し、ＲＡＭ９００に展開することで移動距離設定処理を開始する。
【０１２５】
移動距離設定処理を開始すると、先ず、ＣＰＵ１０は、テレビ放送スキャン移動距離設定画面Ｗ９を表示部２０に表示させ（ステップＦ１）、１つの距離項目にフォーカス（例えば、図１７のフォーカスＦＣ５）を表示させる（ステップＦ３）。
【０１２６】
そして、カーソルスイッチ５ｃがオンされたか否かを判別し（ステップＦ５）、オンされた場合は（ステップＦ５：Ｙｅｓ）、フォーカス位置をカーソルスイッチ５ｃの押下された方向に合わせて１つ移動させる（ステップＦ７）。
【０１２７】
カーソルスイッチ５ｃがオンされなかったと判別した場合（ステップＦ５：Ｎｏ）、又はステップＦ７の処理の後、ＣＰＵ１０は、決定スイッチ５ｄがオンされたか否かを判別する。決定スイッチ５ｄがオンされたと判別した場合は（ステップＦ９：Ｙｅｓ）、フォーカス位置の移動距離を設定移動距離９２としてＲＡＭ９００に記憶させる（ステップＦ１１）。
【０１２８】
決定スイッチ５ｄがオンされなかったと判別した場合は（ステップＦ９：Ｎｏ）、クリアスイッチ５ｅがオンされたか否かを判別する（ステップＦ１３）。クリアスイッチ５ｅがオンされなかったと判別した場合は（ステップＦ１３：Ｎｏ）、ステップＦ５の処理へ移行する。
【０１２９】
クリアスイッチ５ｅがオンされた場合（ステップＦ１３：Ｙｅｓ）、又は、ステップＦ１１の処理の後、ＣＰＵ１０は、移動距離設定処理を終了する。
【０１３０】
ＣＰＵ１０は、移動距離設定処理を終了後、又はステップＡ５３の処理の後、ステップＡ３９の処理へ移行する。
【０１３１】
次に、携帯電話１の第２放送スキャンインタラプト処理の具体的な動作について、図１６のフローチャートを用いて説明する。
【０１３２】
ＣＰＵ１０は、割り込み計時時間９１がＴＶ放送スキャンインタラプト間隔９３に達したか否かを判定し、達したと判定すると、第２ＴＶ放送スキャンインタラプトプログラム８８をＲＯＭ８００から読み出し、ＲＡＭ９００に展開することで第２ＴＶ放送スキャンインタラプト処理を開始する。
【０１３３】
第２ＴＶ放送スキャンインタラプト処理を開始すると、ＣＰＵ１０は、ＴＶ部７０の電源がオフであるか否かを判別し（ステップＤ１）、オフではないと判別すると（ステップＤ１：Ｎｏ）、第１ＴＶ放送スキャンインタラプト処理を終了する。
【０１３４】
ＴＶ部７０がオフであると判別すると（ステップＤ１：Ｙｅｓ）、ＣＰＵ１０は、ＧＰＳ測位ブロック１００にＧＰＳ測位演算を行わせ、当該演算による測位結果を現在測位結果９４としてＲＡＭ９００に記憶させる（ステップＧ２）。
【０１３５】
そして、現在測位結果９４と前回測位結果９６とから携帯電話１の移動距離を演算し、演算移動距離９８としてＲＡＭ９００に記憶させる（ステップＧ３）。
【０１３６】
次いで、現在測位結果９４を前回測位結果９６としてＲＡＭ９００に記憶させ（ステップＧ４）、演算移動距離９８が設定移動距離９２以上であるか否かを判別する（ステップＧ５）。演算移動距離９８が設定移動距離９２以上ではないと判別した場合（ステップＧ５：Ｎｏ）、ＣＰＵ１０は、第２ＴＶ放送スキャンインタラプト処理を終了する。
【０１３７】
演算移動距離９８が設定移動距離９２以上であると判別した場合は（ステップＧ５：Ｙｅｓ）、第１ＴＶ放送スキャンインタラプト処理と同様にステップＤ７〜Ｄ１３の処理を行い、ＣＰＵ１０は、第２ＴＶ放送スキャンインタラプト処理を終了する。
【０１３８】
図１７は、テレビ放送スキャン移動距離設定画面Ｗ９の一例である。同図は、ユーザにより「３０ｍ」が選択されている状態のテレビ放送スキャン移動距離設定画面Ｗ９である。ユーザは、カーソルスイッチ５ｃを上下方向に押下（オン）することで、フォーカスＦＣ５を移動させて、所望の移動距離を選択する。
【０１３９】
例えば、図１７のように設定移動距離９２を「３０ｍ」と設定し、図９（ｈ）のように、ＴＶ放送スキャンインタラプト間隔９３を「１分」と設定する。このとき、受信感度レベルの検出は、１分間の間に携帯電話１の位置が３０ｍ以上移動した場合に行われる。
【０１４０】
以上、第２実施形態によれば、ユーザにより設定されたＴＶ放送スキャンインタラプト間隔９３の時間おきにＧＰＳ測位ブロック１００による測位を行い、測位結果を基に携帯電話１の位置の移動距離を演算し、演算結果が設定移動距離９２以上の場合に、受信感度レベルを検出して、表示部２０に表示させる携帯電話が実現される。従って、就寝中や、同じ場所で仕事している場合等のユーザの移動距離が少ないときは、受信感度の検出が行われないため、省電力設計の携帯電話１を実現することができる。
【０１４１】
尚、第２実施形態において、所定の測位法としてＧＰＳ測位ブロック１００による測位を適用して説明したが、これに限られるものではなく適宜変更適用可能である。例えば、加速度センサにより携帯電話の移動の加速度を検出し、検出した加速度が所定値を超えた場合に受信感度の検出を行うようにしてもよい。また、各無線基地局が管轄する通信エリアを横断して通信エリアが切り替わる際に受信感度の検出を行うとしてもよい。
【０１４２】
以上、２つの実施形態において、携帯電話を適用例として説明したが、本発明の適用可能なものはこれに限られたものではなく、適宜変更可能である。例えば、ＴＶ放送の受信装置を内蔵したカーナビゲーション装置、パソコン、ＰＤＡ（Personal Digital Assistant）等の電子機器全般に適用可能である。
【０１４３】
また、地上波デジタル放送の受信を制御することとして説明したが、地上波アナログ放送やラジオ放送の受信を制御することとしても同様の効果が得られることは無論である。
【図面の簡単な説明】
【０１４４】
【図１】携帯電話の外観図の一例。
【図２】第１実施形態に係る携帯電話の機能構成の一例を示すブロック図。
【図３】第１実施形態に係る第１携帯基本処理を説明するための第１のフローチャート。
【図４】第１実施形態に係る第１携帯基本処理を説明するための第２のフローチャート。
【図５】第１実施形態に係る第１携帯基本処理を説明するための第３のフローチャート。
【図６】第１実施形態に係るスキャン間隔設定処理を説明するためのフローチャート。
【図７】第１実施形態に係る着信検知処理を説明するためのフローチャート。
【図８】第１実施形態に係る第１ＴＶ放送スキャンインタラプト処理を説明するためのフローチャート。
【図９】（ａ）〜（ｄ）は受信感度マークの一例、（ｅ）〜（ｈ）は表示画面の一例を示す図。
【図１０】第１実施形態の変形例１に係る通信感度マークの一例を示す図。
【図１１】第１実施形態の変形例２に係る通信感度マークの一例を示す図。
【図１２】第２実施形態に係る携帯電話の機能構成の一例を示すブロック図。
【図１３】第２実施形態に係る（ａ）はＲＯＭの構成、（ｂ）はＲＡＭの構成の一例を示す図。
【図１４】第２実施形態に係る第２携帯基本処理を説明するためのフローチャート。
【図１５】第２実施形態に係る移動距離設定処理を説明するためのフローチャート。
【図１６】第２実施形態に係る第２ＴＶ放送スキャンインタラプト処理を説明するためのフローチャート。
【図１７】第２実施形態に携帯電話の表示画面の一例を示す図。
【符号の説明】
【０１４５】
１     携帯電話
３     ディスプレイ
５     入力スイッチ群
１０   ＣＰＵ
２０   表示部
２２   表示ドライバ
３０   入力部
４０   マイク
４２   スピーカ
５０   電源部
６０   ＲＦブロック
６２   電話用アンテナ
７０   ＴＶ部
７１   ＴＶチューナ部
７３   ＯＦＤＭ復調部
７５   映像復号部
７７   音声復号部
７９   ＴＶ用アンテナ
８０   ＲＯＭ
８１   第１携帯基本プログラム
８３   スキャン間隔設定プログラム
８５   着信検知プログラム
８７   第１放送スキャンインタラプトプログラム
９０   ＲＡＭ
９１   割り込み計時時間
９３   第１放送スキャンインタラプト間隔
９５   受信感度レベル
９７   通信感度レベル
９９   ＴＶ部一時オフフラグ
１００ ＧＰＳ測位ブロック
１０２ ＧＰＳアンテナ
【図１】
2005184614.tif 000003
【図２】
2005184614.tif 000004
【図３】
2005184614.tif 000005
【図４】
2005184614.tif 000006
【図５】
2005184614.tif 000007
【図６】
2005184614.tif 000008
【図７】
2005184614.tif 000009
【図８】
2005184614.tif 000010
【図９】
2005184614.tif 000011
【図１０】
2005184614.tif 000012
【図１１】
2005184614.tif 000013
【図１２】
2005184614.tif 000014
【図１３】
2005184614.tif 000015
【図１４】
2005184614.tif 000016
【図１５】
2005184614.tif 000017
【図１６】
2005184614.tif 000018
【図１７】
2005184614.tif 000019